【手続補正書】
【提出日】平成21年2月9日(2009.2.9)
【手続補正１】
【補正対象書類名】特許請求の範囲
【補正対象項目名】全文
【補正方法】変更
【補正の内容】
【特許請求の範囲】
【請求項１】
顔正面の最大横幅を示す横線と、該横線の長さと同一の長さからなる縦線を顎の最下点から立設させて、該横線と該縦線のそれぞれの端部に接する辺からなる仮想の正方形を想定し、該正方形上辺に対する眉山の位置を判定し、該判定に基づいて眉頭から眉山までの目安線を設定し、該目安線に沿って眉を描いていくことを特徴とする眉の描写方法。
【請求項２】
コンピューター画面上に被施術者の正面画像を取り込み、該正面画像上に顔正面の最大横幅を示す横線と、該横線の長さと同一の長さからなる縦線を顎の最下点から立設させて、該横線と該縦線のそれぞれの端部に接する辺からなる仮想の正方形を想定し、該正方形上辺に対する眉山の位置を判定し、該判定に基づいて眉頭から眉山までの目安線を設定し、該目安線に沿って眉画像を表示することを特徴とする眉画像の表示方法。
【請求項３】
眉山が正方形上辺上にあるとの判定に基づき、眉頭下部と眉尻を結ぶ眉基線に対して１０度の角度で目安線を設定していくことを特徴とする請求項１又は２に記載の眉の描写方法。
【請求項４】
眉山が正方形上辺より上に位置するとの判定に基づき、眉頭下部と眉尻を結ぶ眉基線に対して８度の角度で目安線を設定していくことを特徴とする請求項１又は２に記載の眉の描写方法。
【請求項５】
眉山が正方形上辺より下に位置するとの判定に基づき、眉頭下部と眉尻を結ぶ眉基線に対して１５度の角度で目安線を設定していくことを特徴とする請求項１又は２に記載の眉の描写方法。
【請求項６】
相対的にスライドして顔の横幅を測定しうる把持部材とスライド部材からなり、該スライド部材には目安線を設定するための眉描部が設けられていることを特徴とする眉スケール。
【請求項７】
把持部材の所望の位置に摺動受部が形成され、該摺動受部に前記スライド部材の差込部が着脱自在に挿入され、前記スライド部材を摺動しながらスライド部材の先端部を顔にあてがうことにより、顔幅の測定が行えることを特徴とする請求項６に記載の眉スケール。
【請求項８】
把持部材の摺動受部にスリット窓が形成され、該スリット窓に沿って顔幅を表す数値が表示され、スライド部材を摺動し、該スライド部材の先端部を顔にあてがった際に、該スライド部材の下端が前記顔幅を表す数値を示すように構成されることを特徴とする請求項６又は７に記載の眉スケール。
【請求項９】
スライド部材が複数用意され、該複数のスライド部材から選ばれるスライド部材の一つが、把持部材に差し込まれているスライド部材と交換自在であることを特徴とする請求項６乃至８のいずれかに記載の眉スケール。
【請求項１０】
眉描部に眉の形の抜型が１つ以上存在することを特徴とする請求項６乃至９のいずれかに記載の眉スケール。
【請求項１１】
眉描部に８度から１５度の角度のいずれかの縁辺を１つ以上有することを特徴とする請求項６乃至９のいずれかに記載の眉スケール。
【手続補正２】
【補正対象書類名】明細書
【補正対象項目名】全文
【補正方法】変更
【補正の内容】
【発明の詳細な説明】
【発明の名称】眉の描写方法及びそれに使用される眉スケール
【技術分野】
【０００１】
この発明は、美しい眉を描くための眉の描写方法とそれに使用される眉スケールに関するものである。より詳しくは、化粧品販売コーナーなどで美容施術者が被施術者に対して、美しい眉を描く場合又は一般消費者が自己の顔立ちにあった、美しい眉を描く場合に利用できる眉の描写方法と眉スケールである。
【背景技術】
【０００２】
従来から、美容施術の過程に於いて、被施術者の顔にマッチするバランスのとれた美しい眉を描くことは難しいとされていて、美容施術者が被施術者に眉を描いた場合でも眉の形は綺麗にできたものの顔全体から見ると何かマッチしないということがあり、それぞれの被施術者にあった美しい眉の描写方法の開発が望まれていた。また、そのような眉を簡便に短時間で描くことができる器具の開発についても、同様に開発が望まれていた。
【０００３】
そのような課題から、眉を描くための器具としては、眉の形をしたシールを作りそれを眉に貼り付けたり、平板に眉の形をくり抜いた眉スケールを作り、くり抜いた眉の形に沿って眉を描いていくスケールなどが開発され、下記特許文献等にその内容が開示されている。
【特許文献１】特開２００３−０６１７４５号公報
【特許文献２】特開２００２−２９１５３０号公報
【特許文献３】特開２００２−１１２８３３号公報
【特許文献４】登録実用新案第３１０３６５９号
【発明の開示】
【発明が解決しようとする課題】
【０００４】
上記従来技術における、眉シールは、眉の形をしているシールを眉に貼り付けるものであり、また、眉スケールは、スケールの縁に沿って、眉の輪郭を描き、その輪郭内をアイブローで塗っていくのである。このような眉シール及び眉スケールでは、簡便に自分で眉を作れるというメリットはあるが、一人一人の顔に合ったバランスがとれた美しい眉になっているものではなかった。従って、当該発明のように、一人一人の顔に合った美しいバランスのとれた眉の描写方法と眉スケールは存在していなかった。
【０００５】
本発明は、顔の全体のバランスを配慮し、一人一人の顔に合ったバランスがとれた美しい眉を描く眉の描写方法と店頭、家庭などにおいて簡便に眉を描くことができる眉スケールを提供するものである。
【課題を解決するための手段】
【０００６】
上記問題を解決するためにこの発明の採った手段は、顔正面の最大横幅を示す横線と、該横線の長さと同一の長さからなる縦線を顎の最下点から立設させて、該横線と該縦線のそれぞれの端部に接する辺からなる仮想の正方形を想定し、該正方形上辺に対する眉山の位置を判定し、該判定に基づいて眉頭から眉山までの目安線を設定し、該目安線に沿って眉を描いていくことを特徴とする。
【０００７】
また、コンピューター画面上に被施術者の正面画像を取り込み、該正面画像上に顔正面の最大横幅を示す横線と、該横線の長さと同一の長さからなる縦線を顎の最下点から立設させて、該横線と該縦線のそれぞれの端部に接する辺からなる仮想の正方形を想定し、該正方形上辺に対する眉山の位置を判定し、該判定に基づいて眉頭から眉山までの目安線を設定し、該目安線に沿って眉を描いていくことを特徴とする。
【０００８】
また、眉山が正方形上辺上にあるとの判定に基づき、眉頭下部と眉尻を結ぶ眉基線に対して１０度の角度で目安線を設定し、眉山が正方形上辺より上に位置するとの判定に基づき、眉頭下部と眉尻を結ぶ眉基線に対して８度の角度で目安線を設定し、眉山が正方形上辺より下に位置するとの判定に基づき、眉頭下部と眉尻を結ぶ眉基線に対して１５度の角度で目安線を設定していくことを特徴とする。
【０００９】
また、相対的にスライドして顔の横幅を測定しうる把持部材とスライド部材からなり、該スライド部材には目安線を設定するための眉描部が設けられていることを特徴とする。
【００１０】
そして、把持部材の所望の位置に摺動受部が形成され、該摺動受部に前記スライド部材の差込部が着脱自在に挿入され、前記スライド部材を摺動しながらスライド部材の先端
部を顔にあてがうことにより、顔幅の測定が行えることを特徴とする。
【００１１】
また、スライド部材が複数用意され、該複数のスライド部材から選ばれるスライド部材の一つが、把持部材に差し込まれているスライド部材と交換自在であることを特徴とする。
【００１２】
また、眉描部に眉の形の抜型が１つ以上存在することと、眉描部に８度から１５度の角度のいずれかの縁辺を１つ以上有することを特徴とする。
【発明の効果】
【００１３】
本発明によれば、美容施術者の技術程度にかかわらず、あらゆる被施術者の顔にあった美しい眉を、簡単に描けるという効果がある。また、一般消費者が、自己の顔立ちにあった美しい眉を簡便に描けるという効果を有する。
【発明を実施するための最良の形態】
【００１４】
まず、本発明の眉の描写方法の説明に先立ち、どのような眉が一人一人の顔立ちに合った美しい眉になるかについての美容理論を説明する。
【００１５】
一般的に、形の良い眉というのは、次の要素からなることが知られている。１．眉頭は目頭の真上から始まる。２．眉尻は小鼻と目尻を結んだ延長線上にある。３．眉山は眉頭から２／３の位置にある。このような眉が形が良い眉と言われている。更に、詳細に図１に基づいてこれらの要素を説明する。図１は、形が良いとされている眉の形を示す図で、ここで目頭(１)から垂直に立ち上がる目頭線(２)上に眉頭(３)があり、小鼻(４)から目尻(５)に向かって傾斜する小鼻眉尻線(６)上に眉尻(７)があり、眉頭(３)と眉尻(７)を結ぶ眉基線(８)の眉頭(３)から眉尻(７)に向かう約２／３の位置(目尻側の白目の端部とほぼ一致する)の垂直な眉山線(９)上には、眉山(10)が存在している。
【００１６】
このような眉が形が良い眉であるが、最近の我々の研究から、形の良い眉をいろいろな被施術者に描いても全体的に似合わないケースが多く、更に他の要素が関係していることが判明した。そして、その新たな要素を加味することにより、一人一人の顔立ちに合った美しい眉を描くことが可能になった。その要素は、４．顔全体における眉の眉山(10)の位置と５．眉頭(３)から眉山(10)を形成する角度とで、本発明は、これらの新たな要素を追加しながらバランスのとれた美しい眉を描いていく眉の描写方法である。
【００１７】
ここで、本発明において、眉頭(３)、眉山(10)などの部位の名称を使用していくが、眉の眉頭(３)、眉山(10)は現実的にある程度の幅を有しているものであり、眉を描いていく場合に、(i)眉の下縁となる線を決め、この線から上に眉を描く、(ii)眉の中間部の線を決め、この線から上と下に眉を描く、(iii)眉の上縁となる線を決め、この線から下に眉を描く、いずれの場合であっても同様の結果を生じるので、眉頭(３)、眉山(10)などの部位名称は、ある程度の幅を持った部位を指すことになる。従って、眉頭(３)と言う場合は、眉の先端部近傍、眉山(10)と言う場合は、眉の屈折部近傍を指すことになる。
【００１８】
次に、顔とのバランスがとれた美しい眉の位置について説明する。顔とのバランスがとれた眉については、４．顔全体における眉の眉山(10)の位置と、５．眉頭(３)から眉山(10)を形成する角度、が重要である。これらの点について、図２に基づき説明を行う。図２のＡ、Ｂ、Ｃは、顔全体に対して眉の占める位置を表している。Ａ、Ｂ、Ｃに書かれている実線で示される仮想の横線イは、顔を正面から見た場合の顔の最大幅を示す線で、通常は下瞼に接する線になる。縦線ロは顔の最大幅を示す前記横線イを顎の下部から垂直に立てた場合の仮想の線である。横線イと縦線ロの線は顔のほぼ中心で直角に交差し、これらの横線イと縦線ロの端をａ、ｂ、ｃ、ｄからなる４つの点線で表した辺で囲んで仮想の正方形を形成している。
【００１９】
この正方形は、後述する眉スケールで正確に正方形を作ることができるが、経験を積むことにより施術者が頭の中でイメージとして作り上げることもできる。また、コンピューター画面上に被施術者の正面画像を写真、イラストなどで取り込み、画像上で作ることもできる。
【００２０】
ここで、Ａの眉の位置を見ると、眉の眉山(10)が前述した仮想の正方形の辺ａに接しており、顔全体で見ると美しい位置に眉がありバランスがとれていることが判る。また、Ｂでは、仮想の正方形の辺ａから眉の眉山(10)が下方に離れて存在していて、顔全体から見ると中心に目、鼻、眉が纏まってしまい、顔が短く見え、バランスがとれていない。また、Ｃでは、仮想の正方形辺ａから眉の眉山(10)が飛び出てしまい、顔全体から見ると顔が長く見え、全体的なバランスが良くない。
【００２１】
一般的に、顔全体が丸い人は、Ｂのように辺ａの下方に眉山(10)が位置しやすく、顔全体が長い人はＣのように辺ａの上方に眉山(10)が飛び出てしまう傾向にあり、眉の描き方によってこれらの顔の傾向を増長してしまうケースが散見される。
【００２２】
ここでＡの状態を詳細に観察すると眉頭(３)から眉山(10)を形成する角度は、眉頭(３)から眉尻(７)を結ぶ眉基線(８)に対して約１０度であり、眉山(10)は、辺ａに接している。また、Ｂでは、眉頭(３)から眉山(10)を形成する角度は、眉頭(３)から眉尻(７)を結ぶ眉基線(８)に対して約５度であり、眉山(10)は、辺ａから下方に離れて存在している。また、Ｃでは、眉頭(３)から眉山(10)を形成する角度は、眉頭(３)から眉尻(７)を結ぶ眉基線(８)に対して約２０度であり、眉山(10)は、辺ａから眉の眉山(10)が飛び出ている。Ｂ又はＣのような状態の眉をできるだけＡの状態に近づくように眉を描くことによって顔とのバランスがとれた美しい眉になることが判る。
【００２３】
この眉の描き方の手順について、図２と図３に基づき更に詳細に説明する。まず、被施術者の顔正面の最大横幅(通常は下瞼を通る直線になる)を測定し、その横幅からなる仮想の横線イを顔の下瞼に沿って作成する。続いて、横線イと同一の長さを顎の最下点から立設させて仮想の縦線ロを作り、顔の正面で横線イと縦線ロを直交させ、横線イと縦線ロのそれぞれの端部を通る仮想の辺ａ、ｂ、ｃ、ｄで仮想の正方形を形成する。こうして作られた辺ａと被施術者の眉山(10)の位置を比較し、眉山(10)が正方形の辺ａに一致するか、辺ａより高い位置にあるか、低い位置にあるかを判定する。
【００２４】
これらの手順は、店頭で被施術者の顔を見て、眉スケールで測定して仮想の正方形を作ることもできるが、より説得性を高めるために、コンピューター画面上に被施術者の正面画像を写真、イラストなどで取り込み、この正面画像に、横線イと縦線ロから作った仮想の正方形ａ、ｂ、ｃ、ｄを表示し、辺ａと眉山(10)の位置を比較し、どのような眉を描いていくかを被施術者と相談しながら進めることができる。
【００２５】
図２のＡのように眉山(10)が辺ａに一致する場合、眉の角度が眉基線(８)に対して１０度になる場合が多いので、後述するような１０度の角度の縁辺を有する眉描部を用いて、図３に示されるように眉頭(３)から眉山(10)までの目安線(11)を設定する。目安線(11)は、アイブローで眉頭(３)と眉山(10)の２点をポイントで示しても、薄い線を引いても良い。また、図３では目安線(11)を眉の下側に設定しているが、眉の中心、眉の上側に設定して眉を描いていくこともできる。これらのいずれの場合でも、眉山(10)は眉山線(９)上にあり、眉山(10)の上縁は辺ａと接するように眉を描いていく。眉は目安線(11)に沿って一定の幅で眉山(10)まで描かれるが、眉山(10)から眉尻(７)までは、被施術者の好みに応じて自由な曲線を作り、眉を完成させる。
【００２６】
次に、図２のＢのように、眉山(10)が辺ａに対して低い位置にくる場合は、眉山(10)の位置を辺ａになるべく近づけるように眉を描いていく。この場合に、図２のＢの眉頭(３)から眉山(10)の角度は５度と低いので、眉山(10)を辺ａに近づけるために、１５度の角度の縁辺を有する眉描部を用いて、眉頭(３)から眉山(10)までの目安線(11)を設定する。しかしながら、目安線の角度があまり大きくなりすぎ、被施術者の元々ある眉山(10)の位置より大きくずれてしまうような場合には、被施術者が違和感を感じる場合が多いので、元の眉山(10)の位置から最大２ｍｍの範囲で眉山線(９)上方に新しい眉山(10)を設定するのが好ましい。眉を剃った状態で全く新しい眉を描く場合は、このような制限を設けなくとも良い。目安線(11)をアイブローで軽く描き、その後、目安線(11)に沿って眉頭(３)から眉山(10)まで描き上げ、眉尻(７)を描いて理想的な眉を完成させる。眉を剃っていない場合は、もともとある眉の上から前述したように眉を描き上げ、はみ出た部分については、眉を剃って整えることができる。
【００２７】
また、図２のＣのように、眉山(10)が辺ａに対して高い位置にくる場合は、眉山(10)の位置を辺ａになるべく戻すように眉を描いていく。図２のＣの場合の眉頭(３)から眉山(10)の角度は２０度と高いので、８度の角度の縁辺を有する眉描部を用いて、眉頭(３)から眉山(10)までの目安線(11)を設定する。この場合においても、被施術者の元々ある眉山(10)の位置より大きくずれてしまうような場合には、被施術者が違和感を感じる場合が多いので、元の眉山(10)の位置から最大２ｍｍの範囲で眉山線(９)下方に新しい眉山(10)を設定するのが好ましい。前述した方法と同様に眉を描いていくと顔全体とのバランスがとれた美しい眉ができあがる。
【００２８】
眉頭(３)と眉山(10)を結ぶ眉の描き方で顔のイメージを調整できる。例えば、眉を太く描いた場合は「大人っぽく」、眉を細く描いた場合は「かわいらしく」、眉を直線的に描いた場合は「すっきり」、眉を曲線的に描いた場合は「やさしい」などの選択を被施術者の要望に応じて、使い分けることができる。
【００２９】
これらの眉を描いていくにあたって、前述したようにコンピューター画面上に目安線(11)を表示し、できあがる眉のイメージと顔全体の印象を予め被施術者に示し、カウンセリングしながら進めることができることは言うまでもない。
【００３０】
次に、ここで使用される眉スケールについて説明する。図４に示すように本発明の眉スケール(12)は、把持部材(13)と、差込部(14)と眉描部(15)とからなるスライド部材(16)から構成される。顔幅を測るときには、丁度ノギスのようにスライド部材(16)を摺動させながらスライド部材(16)の先端部(17)を顔にあてがうことにより、顔幅の測定が行えるものになっている。顔幅は、スライド部材(16)の下端(20)が示す把持部材(13)のスリット窓(19)に沿って印刷されている数値によって読み取ることができる。
【００３１】
図５に示すように把持部材(13)は、正面形状が略台形の部材であり、該把持部材(13)の略中央にはスライド部材(16)を差し込むための摺動受部(21)が形成されている。摺動受部(21)は、スライド部材(16)の差込部(14)が差し込まれ、スライド部材(16)が上下動する構造であれば良く、一般的な中空の溝になっていればよい。プラスチック板で作った場合は、板の略中央部をくり抜くようにして、中空の長方形にすればよく、紙などで作る場合は、略中央に幅広の溝を有する紙を二枚用意し、溝同士を合わせて、一つの把持部材(13)を作ることができる。把持部材(13)の摺動受部がある位置には、スリット窓(19)が形成され、スライド部材(16)の動きが確認できるようになっている。そして、スリット窓(19)の側辺には、スライド部材(16)を摺動させたときに、把持部材(13)の底部(18)とスライド部材(16)の最先端(17)の距離が判るような数値が印刷されている。図６は、図５のＥ−Ｅ面における断面図である。
【００３２】
スライド部材(16)は、プラスチック板又は紙などで作られるＴ字状の部材である。図７、図８に示すようにスライド部材(16)は、把持部材(13)の摺動受部(21)に差し込まれる差込部(14)と眉を描くときに使用される眉描部(15)からなる。
【００３３】
スライド部材(16)は、眉描部(15)の形が異なるものが複数本用意されていて、いろいろな眉を描く場合に使用できるようになっている。眉描部(15)のパターンは、図７のように眉形(22)をくり抜いたものと、図８のように８度から１５度の角度の縁辺を１つ以上有しているものの２つのパターンに分類される。図７のように、眉描部(15)に眉形(22)をくり抜いたものは、眉の形を３種類、眉の太さを太めと細めの２種類を用意して、計６種類のパターンのスライド部材(16)を作ることができる。また、図８の８度から１５度の角度の縁辺を有するものは、８度、１０度、１５度の縁辺を有するスライド部材(16)を３つ用意して被施術者に対応することができる。これらのスライド部材(16)は、把持部材(13)に差し替えながら、あらゆる被施術者に対応できるようになっている。また、スライド部材(16)は、１つのスライド部材(16)に１つの眉形(22)又は８度から１５度の角度の縁辺を作っても良いし、１つのスライド部材(16)に２つ以上の眉形(22)又は８度から１５度の角度の縁辺を作っても良い。
【００３４】
眉形(22)をくり抜いた眉描部(15)を有するスライド部材(16)は、従来の眉描き器と同様に輪郭をアイブローでなぞっていくので、熟練していない美容技術者でも店頭で短時間で被施術者に眉を描くことができる利点を有する。８度から１５度の角度の縁辺を有している眉描部(15)があるスライド部材(16)の場合は、前述した方法に従って、目安線(11)を作り眉を描き上げる。
【００３５】
上述したスライド部材(16)でいろいろなパターンの眉を描くことができる。例えば、眉を太めに描いて「大人っぽい眉」にしたり、眉を細めに描いて「子供っぽい眉」にしたり、眉の曲線部分を多くして「優しい眉」にしたり、眉の直線部分を多くして「すっきりした眉」にして、全体として１２パターンの代表的な眉を作り、眉から受ける感触を変え、被施術者にいろいろな眉を提供することができる。
【００３６】
更に詳細に眉スケール(12)の使い方について説明する。まず、図９のＡに示されるように眉スケール(12)のスライド部材(16)をスライドさせながら引き出し、顔正面の最大幅を測定する。最大幅はスライド部材(16)に設けられている先端部(17)と把持部材(13)の底部(18)の距離であり、この最大幅は把持部材(13)に設けられているスリット窓(19)の横に表示されている数値をスライド部材(13)の下端(20)が指すことで容易に読み取ることができる。続いて、最大幅を測った状態を維持しながら、図９のＢに示されるように眉スケール(12)を顎の下端にあてがい、顎からの垂直な線を決定する。この操作は、既に説明したように、顔正面の最大横幅を示す横線イと、該横線イの長さと同一の長さからなる縦線ロを顎の最下点から立設させ、該横線と該縦線の端部を辺ａ、ｂ、ｃ、ｄとする正方形を形成するためのもので、この正方形の辺aを利用して眉山(10)が一致しているか、高い位置にあるか、低い位置にあるかの判定を行っていく。
【００３７】
次に、スライド部材(16)の眉描部(15)を利用して、理想的な眉を描いていく。図７に示されるような眉形(22)をくり抜いた眉描部(15)を持つスライド部材(16)では、眉形(22)の先部(23)を被施術者の眉頭(３)に、眉形(22)の頂部(24)を眉山(10)に合わせて、眉形(22)の縁をアイブローでなぞりながら眉を描いていく。眉頭(３)と眉山(10)の位置は、既に述べた眉の描写方法に基づき設定される。
【００３８】
また、図８に示されるスライド部材(16)の場合は、スライド部材(16)の眉描部(15)の先部(26)から10度の縁辺(25)を作っている。先部(26)を被施術者の眉頭(３)に合わせて、縁辺(25)の１０度の角度を利用して目安線(11)を作り、眉を描いていく。この使用状況を図１０に示してある。図１０では、目安線(11)を眉の下縁に作っているが、既に述べたように眉の中間部、眉の上縁に作っても良い。
【実施例１】
【００３９】
本発明の一実施例を以下に図１１を参照しながら説明する。この実施例においては、把持部材(13)は既に説明した把持部材と同様であるが、スライド部材(16)の眉描部(15)の先部(27)を球状にし、目の前で眉スケール(12)を動かした場合でも、被施術者が眼に対する不安を持たないようにしている。また、先部(27)からは１５度の縁辺(25)を作成し、角度がある目安線(11)を引くようにしてある。この眉スケール(12)を利用して、眉山(10)が辺ａより低い位置にある被施術者に適用し、バランスがとれた美しい眉を描くことができた。
【図面の簡単な説明】
【００４０】
【図１】理想的な眉の形を説明する説明図
【図２】眉の位置の状態を説明する説明図
【図３】目安線を作成する説明図
【図４】本発明に係る眉スケールでスライド部材がスライドする状態を示す図
【図５】本発明に係る眉スケールの把持部材の正面図
【図６】本発明に係る眉スケールの把持部材の断面図
【図７】本発明に係る眉スケールのスライド部材を示す図
【図８】本発明に係る眉スケールの他のスライド部材を示す図
【図９】本発明に係る眉スケールの使用状態を示す図
【図１０】本発明に係る眉スケールの使用状態を示す図
【図１１】実施例１に係る眉スケール
【符号の説明】
【００４１】
１  目頭
２  眉頭線
３  眉頭
４  小鼻
５  目尻
６  小鼻眉尻線
７  眉尻
８  眉基線
９  眉山線
10  眉山
11  目安線
12  眉スケール
13  把持部材
14  差込部
15  眉描部
16  スライド部材
17  最先端
18  底部
19  スリット窓
20  下端
21  摺動受部
22  眉型
23,26,27  先部
24  頂部
25  縁辺
イ  横線
ロ  縦線
ａ，ｂ，ｃ，ｄ  辺